(57)【要約】【課題】  蛍光灯などの間欠照明の下で２種類以上の画像から光シャッターを用いる利用者に正常画像を見せる場合に、フリッカが生じるのを解消する。【解決手段】  ２種類以上の画像を順次繰り返し表示可能な表示パネル１１Ａと、この表示パネル１１Ａの画面表示のうちの特定の画像の表示周期に合わせて開く光シャッター１３を備えた表示システム１０において、周期的に点滅する間欠照明１５下においては、表示パネル１１Ａの特定画像の表示周期を間欠照明１５の点滅周期の整数倍にする。【選択図】  図１
2008056753.tif 000002
【特許請求の範囲】
【請求項１】
間欠照明下で表示手段により特定画像を含む２種類以上の画像を順次繰り返し表示する表示システムであって、
周期的に点滅する間欠照明下において前記特定画像の表示周期と前記間欠照明の点滅周期とを整数倍になるように制御する制御手段を有することを特徴とする表示システム。
【請求項２】
光シャッターを有し、
前記光シャッターは、前記特定画像の表示周期に同期して開閉することで、前記特定画像のみを抽出することを特徴とする請求項１に記載の表示システム。
【請求項３】
前記制御手段は、
前記間欠照明の点滅周期を検出する点滅周期検出手段と、
前記特定画像の表示周期を変更する表示周期制御手段と、を含み
前記表示周期制御手段は、周期的に点滅する間欠照明下において、前記点滅周期検出手段で検出された点滅周期に基づいて、前記表示手段による前記特定画像の表示周期が前記間欠照明の点滅周期の整数倍になるように前記特定画像の表示周期を変更することを特徴とする請求項１に記載の表示システム。
【請求項４】
前記制御手段は、前記間欠照明の点滅周期を変更する点滅周期制御手段をさらに有し、
前記点滅周期制御手段は、周期的に点滅する間欠照明下において、前記特定画像の表示周期に基づいて、前記特定画像の表示周期が前記間欠照明の点滅周期の整数倍になるように前記間欠照明の点滅周期を制御することを特徴とする請求項３に記載の表示システム。
【請求項５】
前記点滅周期検出手段は、前記間欠照明の点滅位相を検出する点滅位相検出手段を有し、
前記表示周期制御手段は、表示する画像の表示開始時点を変更する画像表示開始点変更手段を有し、
前記画像表示開始点変更手段は、前記点滅位相検出手段が検出する前記点滅位相に、前記表示開始時点を同期させることを特徴とする請求項３に記載の表示システム。
【請求項６】
前記点滅周期制御手段は、前記間欠照明の点滅位相を変更する点滅位相変更手段を有し、
前記点滅位相変更手段は、表示する画像の表示開始時点に点滅位相を同期させることを特徴とする請求項４に記載の表示システム。
【請求項７】
前記点滅周期検出手段は、前記表示手段に供給される商用電源の交流電圧の波形から、前記間欠照明の点滅周期、或いは点滅位相を検出する請求項３又は５に記載の表示システム。
【請求項８】
前記表示周期制御手段は、前記点滅周期検出手段が検出する前記点滅周期が１／１００秒の場合に前記特定画像の表示周期を１／５０秒あるいは１／１００秒のいずれか１つに設定し、前記点滅周期が１／１２０秒の場合に１／６０秒あるいは１／１２０秒のいずれか１つに設定する請求項３又は５に記載の表示システム。
【請求項９】
前記点滅周期検出手段は、前記間欠照明の明るさの変動を検出することにより、前記間欠照明の点滅周期、或いは点滅位相を検出する請求項３又は５に記載の表示システム。
【請求項１０】
前記点滅周期検出手段は、前記光シャッターの透過光の変動を検出する透過光検出手段を備え、前記間欠照明の明るさの変動を検出する請求項３又は５に記載の表示システム。
【請求項１１】
反射型または半透過型の表示パネルを備え、
前記画像表示開始点変更手段は、前記点滅周期検出手段の検知結果を基に、前記光シャッターの開期間における通過光量の積分値が最大となるよう前記表示開始時点を変更する請求項５に記載の表示システム。
【請求項１２】
透過型、半透過型、投射型または自発光型の表示パネルを備え、
前記画像表示開始点変更手段は、前記点滅周期検出手段の検知結果を基に、前記光シャッターの開期間における通過光量の積分値が最小となるよう前記表示開始時点を変更する請求項５に記載の表示システム。
【請求項１３】
反射型または半透過型の表示パネルを備え、
前記点滅位相変更手段は、前記光シャッターの開期間における通過光量の積分値が最大となるよう前記点滅位相を変更する請求項６に記載の表示システム。
【請求項１４】
透過型、半透過型、投射型または自発光型の表示パネルを備え、
前記点滅位相変更手段は、前記光シャッターの開期間における通過光量の積分値が最小となるよう前記点滅位相を変更する請求項６に記載の表示システム。
【請求項１５】
前記点滅周期検出手段は、前記光シャッターの透過光の変動を検出する透過光検出手段を備え備え、前記間欠照明の明るさを検出する請求項１１〜１４のいずれか一項に記載の表示システム。
【請求項１６】
前記点滅周期検出手段を光シャッターに装備した請求項３又は５に記載の表示システム。
【請求項１７】
前記表示周期制御手段は、前記特定画像の表示周期を１／５０秒以下に制限する請求項３又は５に記載の表示システム。
【請求項１８】
前記光シャッターは液晶シャッターである請求項２に記載の表示システム。
【請求項１９】
前記２種類以上の画像が、前記特定画像と前記特定画像を反転させた反転画像を含む請求項１に記載の表示システム。
【請求項２０】
前記特定画像が、全面黒画面の画像である請求項１に記載の表示システム。
【請求項２１】
前記繰り返し順次表示される画像に、立体視に必要な右眼用画像と左眼用画像を含む請求項１に記載の表示システム。
【請求項２２】
間欠照明下で表示手段により特定画像を含む２種類以上の画像を順次繰り返す表示を制御する制御システムであって、
周期的に点滅する間欠照明下において前記特定画像の表示周期と前記間欠照明の点滅周期とを整数倍になるように制御する制御手段を有することを特徴とする制御システム。
【請求項２３】
前記制御手段は、
前記間欠照明の点滅周期を検出する点滅周期検出手段と、
前記特定画像の表示周期を変更する表示周期制御手段と、を含み
前記表示周期制御手段は、周期的に点滅する間欠照明下において、前記点滅周期検出手段で検出された点滅周期に基づいて、前記表示手段による前記特定画像の表示周期が前記間欠照明の点滅周期の整数倍になるように前記特定画像の表示周期を変更することを特徴とする請求項２３に記載の制御システム。
【請求項２４】
前記制御手段は、前記間欠照明の点滅周期を変更する点滅周期制御手段をさらに有し、
前記点滅周期制御手段は、周期的に点滅する間欠照明下において、前記特定画像の表示周期に基づいて、前記特定画像の表示周期が前記間欠照明の点滅周期の整数倍になるように前記間欠照明の点滅周期を制御することを特徴とする請求項２３又は２４に記載の制御システム。
【請求項２５】
前記点滅周期検出手段は、前記間欠照明の点滅位相を検出する点滅位相検出手段を有し、
前記表示周期制御手段は、表示する画像の表示開始時点を変更する画像表示開始点変更手段を有し、
前記画像表示開始点変更手段は、前記点滅位相検出手段が検出する前記点滅位相に、前記表示開始時点を同期させることを特徴とする請求項２３又は２４に記載の制御システム。
【請求項２６】
前記点滅周期制御手段は、前記間欠照明の点滅位相を変更する点滅位相変更手段を有し、
前記点滅位相変更手段は、表示する画像の表示開始時点に点滅位相を同期させることを特徴とする請求項２５に記載の制御システム。
【請求項２７】
前記点滅周期検出手段は、前記表示手段に供給される商用電源の交流電圧の波形から、前記間欠照明の点滅周期、或いは点滅位相を検出する請求項２４又は２６に記載の制御システム。
【請求項２８】
前記表示周期制御手段は、前記点滅周期検出手段が検出する前記点滅周期が１／１００秒の場合に前記特定画像の表示周期を１／５０秒あるいは１／１００秒のいずれか１つに設定し、前記点滅周期が１／１２０秒の場合に１／６０秒あるいは１／１２０秒のいずれか１つに設定する請求項２４又は２６に記載の制御システム。
【請求項２９】
前記点滅周期検出手段は、前記間欠照明の明るさの変動を検出することにより、前記間欠照明の点滅周期、或いは点滅位相を検出する請求項２４又は２６に記載の制御システム。
【請求項３０】
前記点滅周期検出手段は、前記光シャッターの透過光の変動を検出する透過光検出手段を備え、前記間欠照明の明るさの変動を検出する請求項２４又は２６に記載の制御システム。
【請求項３１】
反射型または半透過型の表示パネルの場合、
前記画像表示開始点変更手段は、前記点滅周期検出手段の検知結果を基に、前記光シャッターの開期間における通過光量の積分値が最大となるよう前記表示開始時点を変更する請求項２６に記載の制御システム。
【請求項３２】
透過型、半透過型、投射型または自発光型の表示パネルを備え、
前記画像表示開始点変更手段は、前記点滅周期検出手段の検知結果を基に、前記光シャッターの開期間における通過光量の積分値が最小となるよう前記表示開始時点を変更する請求項２６に記載の制御システム。
【請求項３３】
反射型または半透過型の表示パネルを備え、
前記点滅位相変更手段は、前記光シャッターの開期間における通過光量の積分値が最大となるよう前記点滅位相を変更する請求項２７に記載の制御システム。
【請求項３４】
透過型、半透過型、投射型または自発光型の表示パネルを備え、
前記点滅位相変更手段は、前記光シャッターの開期間における通過光量の積分値が最小となるよう前記点滅位相を変更する請求項２７に記載の制御システム。
【請求項３５】
前記点滅周期検出手段は、前記光シャッターの透過光の変動を検出する透過光検出手段を備え備え、前記間欠照明の明るさを検出する請求項３２〜３５のいずれか一項に記載の制御システム。
【請求項３６】
前記表示周期制御手段は、前記特定画像の表示周期を１／５０秒以下に制限する請求項２３に記載の制御システム。
【請求項３７】
周期的に点面する間欠照明下において、順次繰り返して表示される２種類以上の画像に含まれる特定画像の表示周期と前記間欠照明の点滅周期とを整数倍になるように制御することを特徴とする特定画像表示方法。
【請求項３８】
前記間欠照明の点滅周期を検出し、
検出された前記点滅周期に基づいて、前記特定画像の表示周期と前記間欠照明の点滅周期とを整数倍になるように制御することを特徴とする請求項３８に記載の特定画像表示方法。
【請求項３９】
前記間欠照明の点滅位相を検出し、
検出された前期点滅位相に基づいて、表示する画像の表示開始時点を変更することを特徴とする請求項３８に記載の特定画像表示方法。
【請求項４０】
表示される２種類以上の画像中の特定画像の表示に合わせて光シャッターを開閉制御するための動作制御用プログラムであって、
周期的に点滅する間欠照明下において、前記特定画像の表示周期と前記間欠照明の点滅周期とを整数倍に制御する機能をコンピュータに実行させることを特徴とする動作制御用プログラム。
【発明の詳細な説明】
【技術分野】
【０００１】
本発明は、表示システムに関し、特に立体視や特定の使用者以外には秘匿情報を見せない表示システム及びその表示システムで実行される特定画像表示方法及び動作制御用プログラムに関する。
【背景技術】
【０００２】
現在、ノートパソコン、携帯情報端末（ＰＤＡ）、携帯電話などは、列車や航空機などの乗り物、各種公共施設など他者が存在する場所において日常的に使用されている。こうした動きは、ユビキタス情報社会の進展による公衆ＬＡＮ設備の増加に伴い、今後、更に加速すると予想される。こうした環境下では周囲の人間にディスプレイの表示内容が見えてしまうというセキュリティ上、およびプライバシー上の問題が生じる。
一方で、個人情報保護法の成立など秘密情報保護の風潮が強まっており、上述のような外出先での使用時だけでなく、職場などでデスクトップ機を使用する場合においても機密性の高い情報は、閲覧資格者以外から保護するなどの対策が必要とされている。【０００３】
こうした要求に対応する技術の一つとして、例えば、複数画像の表示とそれに同期した光シャッターの組合せによって、特定使用者のみが所望の画像を見ることができる表示システムが提案されている（特許文献１）。
この特許文献１の内容を、図２５に沿って説明する。この例では、表示パネル７４において、表示制御部７７により、本来表示したい画像である正常画像７１と、該正常画像７１の反転画像７２とを、ほぼ等しい時間間隔で切替えて繰り返し表示するとともに、使用者の目前に存在する光シャッター７５をシーケンス７３に示したように正常画像７１に同期させて透過状態にする。
これにより表示パネル７４に表示された画像は、光シャッター７５の使用者には正常画像７１である表示画像７６として認識され、周囲の不特定者には正常画像７１と反転画像７２とが重畳された全面が中間調の灰色画像として認識される。また特許文献１では述べられていないが、正常画像、反転画像に更に公衆画像を付け加えることで、不特定者には公衆画像を認識させながら、特定の人間にのみ正常画像で秘密情報を伝達することも可能である。
この技術は秘密情報の保護だけではなく、同一表示パネルに複数の画像を繰り返し表示し、複数の使用者がそれぞれ透過タイミングをずらした光シャッターを使用することで複数の画像のうち一つの画像を選択して視聴するマルチチャンネルディスプレイや、右眼と左眼の開閉タイミングをずらした光シャッターを使用することで立体視を行う立体ディスプレイ、などの応用が可能である。【０００４】
ところで、前記複数画像表示とそれに同期した光シャッターを利用する方法においては、表示パネルからの映像と共に、室内であれば蛍光灯の光もシャッターを通過することになる。インバータを用いていない蛍光灯は商用電源周波数の２倍の周波数で点滅するため、この点滅の周期と、光シャッターの透過状態から次の透過状態までの周期が異なる場合、光シャッターを透過した光にフリッカが生じることがある。【０００５】
商用電源周波数は、日本において関東地域が５０Ｈｚであるのに対し、関西地域では６０Ｈｚが用いられている。また、ヨーロッパでは５０Ｈｚが、アメリカでは６０Ｈｚの周波数が用いられている。ユビキタス情報社会においては、ノートパソコンなどを持ち運び、地域や国にまたがって使用する機会が頻繁に生じるので、上述したような商用電源周波数に起因するようなフリッカの発生が特に問題となる。
さらに、照明装置の光源には、これまで用いられてきた蛍光灯に限らず、今後は水銀フリーのＬＥＤや有機ＥＬを用いた光源が広く用いられることが予想される。その場合には、商用電源周波数以外の周波数で点滅することもあり、フリッカの発生の様子も異なってくると考えられる。
フリッカが生じると、使用者は不快に感じるばかりでなく、眼精疲労の原因となり、さらには身体に支障をきたすなど健康上の問題が発生する。こうした問題への対策として、立体画像の表示システムにおいて、光シャッターの周囲に遮光板を設けることによって周囲からの照明光の入射を防止する方法が提案されている（特許文献２）。
さらに他の例では、立体画像の表示システムで、光シャッターの開閉周期をまず１／６０秒にしておいて、電源周波数５０Ｈｚ地域では、左右いずれか一方のシャッターの開期間に全有効映像期間とその前後のブランキング期間を含むようにして、蛍光灯の点滅期間である１／１００秒に近づけることでフリッカを防止する方法が示されている（特許文献３）。
また、ビデオカメラなど撮像装置の分野ではあるが、蛍光灯の輝度を検知し、それに応じてシャッタースピードを、暗い場合には遅く、明るい場合には早く変化させる方法や、シャッターを開くタイミングを変化させる方法などが公知例として知られている（特許文献４）。【０００６】
【特許文献１】特開平６−１１０４０３
【特許文献２】特開平８−２０５２０４
【特許文献３】特許第００３０６６２９８号
【特許文献４】特開２０００−０３２３５２
【発明の開示】
【発明が解決しようとする課題】
【０００７】
上述した特許文献１に、特許文献２のように光シャッターの周囲に遮光板を設ける技術を適用したとしても、照明の影響は表示装置の表示面に回り込んでくるため、蛍光灯の影響を完全に取り除くことはできないという問題がある。【０００８】
また、立体画像表示の場合と異なって秘密情報保護などのために複数画像を表示する場合は、特許文献３のように、光シャッターを開けている時間を１／１００秒、あるいは１／１２０秒ほどには長くはとれないことである。後述する３画面表示の場合は勿論であるが、特定画像と反転画像の２画面表示の場合でも同様である。これは、ＣＲＴや液晶ディスプレイのような順次走査方式においては、光シャッターの開時間を長く取ると、光シャッターの使用者においても、画像が特定画像と反転画像、あるいは公衆画像と特定画像の混在する画像として認識されてしまうためである。【０００９】
また特許文献４に開示されたビデオカメラでの撮影と異なり、光シャッターを開にするのは特定画像表示の時点に限られ、またその中でも特定画像の書込み後から反転画像の書込み前までに限定される。そのため、蛍光灯の明るさを均一化できるほどシャッターを開く期間やタイミングを大きく変えることができない。【００１０】
本発明の目的は、蛍光灯などの間欠照明の下で繰り返し表示される２種類以上の画像の内の特定画像に同期して開閉する光シャッターを用いて特定画像のみを見る場合に、間欠照明の点滅の周期と光シャッターの開閉周期とが異なることにより生じるフリッカを有効に解消することができる表示システムを提供することにある。
【課題を解決するための手段】
【００１１】
前記目的を達成するため、本発明に係る表示システムは、間欠照明下で表示手段により特定画像を含む２種類以上の画像を順次繰り返し表示する表示システムであって、
周期的に点滅する間欠照明下において前記特定画像の表示周期と前記間欠照明の点滅周期とを整数倍になるように制御する制御手段を有することを特徴とするものである。【００１２】
本発明をハードウエアとして構築したが、これに限られるものではなく、本発明は特定画像表示方法又はソフトウエアとしての動作制御用プログラム、さらには、制御システムとして構築してもよいものである。【００１３】
本発明を特定画像表示方法として構築した場合、本発明にかかる特定画像表示方法は、周期的に点滅する間欠照明下において、順次繰り返して表示される２種類以上の画像に含まれる特定画像の表示周期と前記間欠照明の点滅周期とを整数倍になるように制御する構成として構築する。【００１４】
本発明を動作制御用プログラムとして構築した場合、本発明にかかる動作制御用プログラムは、表示される２種類以上の画像中の特定画像の表示に合わせて光シャッターを開閉制御するための動作制御用プログラムであって、
周期的に点滅する間欠照明下において、前記特定画像の表示周期と前記間欠照明の点滅周期とを整数倍に制御する機能をコンピュータに実行させる構成として構築する。【００１５】
本発明に係る制御システムは、間欠照明下で表示手段により特定画像を含む２種類以上の画像を順次繰り返す表示を制御する制御システムであって、
周期的に点滅する間欠照明下において前記特定画像の表示周期と前記間欠照明の点滅周期とを整数倍になるように制御する制御手段を有する構成として構築する。
【発明の効果】
【００１６】
本発明によれば、蛍光灯のような間欠照明下で、複数画像を繰り返し表示させる場合に、複数表示画像の表示周期を変えることによってそれに同期して開閉される光シャッターの開閉周期を変え、間欠照明の点滅周期に光シャッターの開閉周期を合わせてその整数倍にするようにしたので、光シャッターを透過する間欠照明の光量を各光シャッターの開時間内で一定にすることが可能になり、従って、照明の点滅周期と光シャッターの開閉周期との相違からフリッカが生じるのを防止することができるとともに、表示パネルの表示形式に合わせた最適の開閉位相で光シャッターの開閉を行って画面を見やすくすることが可能な表示システム、特定画像表示方法及び動作制御用プログラムを提供することができる。
【発明を実施するための最良の形態】
【００１７】
次に、本発明の実施の形態について添付の図面を参照して詳細に説明する。
（第１の実施形態）【００１８】
図１は、本発明の第１の実施形態に係る表示システムの構成を示すブロック図、図２は、本発明の第１の実施形態に係る表示システムを使用している状態を示す概略説明図である。
本第１の実施形態の表示システム１０は、間欠照明下で表示手段により特定画像を含む２種類以上の画像を順次繰り返し表示するものであり、制御手段１０Ａと、光シャッター１３と、間接照明１５とを備えている。【００１９】
制御手段１０Ａは、間欠照明１５の下で表示手段（１１Ａ）により順次繰り返して表示される特定画像を含む２種類以上の画像を順次繰り返す表示を制御するものであり、表示制御を行う表示制御手段１１と、表示パネル１１Ａと、間欠照明１５によって生じる点滅の周期を検出する点滅周期検出手段１９とが含まれ、さらに、表示制御手段１１には、表示システム１０全体を制御する主制御手段１２と、表示パネル１１Ａに表示される画像の表示周期を制御する表示周期制御手段１７とが含まれている。図１の実施形態では、前記表示手段として表示パネル１１Ａを用いている。なお、実施形態では、制御手段１０Ａに表示パネル１１Ａを組み込んだ例を説明したが、これに限られるものではなく、表示パネル１１Ａを制御手段１０Ａから分離して独立に設けてもよいものである。【００２０】
光シャッター１３は、順次表示される画像のうち、特定画像に同期して開閉を繰り返すものであり、光シャッター１３を駆動するシャッター開閉手段１３Ａと、光シャッター１３の開閉タイミングを制御するシャッター開閉制御手段１８とを含んでいる。【００２１】
表示システム１０は、図２に示すように、蛍光灯のような周期的に点滅を繰り返す間欠照明１５の下で使用されているものとする。点滅周期検出手段１９は、例えば商用電源周波数を検出することで間欠照明の点滅周期を求めることができる。例えば、商用電源周波数検出結果から蛍光灯の点滅周期が１／１００秒か１／１２０秒かのいずれであるかを判定すればよい。商用電源周波数が分かっている場合には、使用者がその値を入力してもよいし、地域を選択指定することで点滅周期を求めても良い。点滅周期検出手段１９は、表示制御手段１１の内部に設けてもよい。表示制御手段１１、すなわち主制御手段１２と表示周期制御手段１７は、点滅周期検出手段１９で得られた点滅周期を基に、表示パネル１１Ａに表示する特定画像の表示周期を間欠照明１５の点滅周期の整数倍にするよう働く。【００２２】
表示制御手段１１からシャッター開閉手段１３Ａには、シャッター開閉制御手段１８を介して光シャッター１３の開閉タイミングを制御するための基準となる同期信号１４が送られる。シャッター開閉制御手段１８は、光シャッター１３が特定画像の表示に同期して開閉を繰り返すように働くので、光シャッター１３の開閉周期は間欠照明１５の点滅周期の整数倍になる。【００２３】
ここで光シャッター１３は、液晶方式の光シャッターを利用し、軽量薄型で静音化を図っているが、これに限らず、機械式など他の方式であってもよい。図２においては、メガネやそれに類する形状であって眼鏡のように両耳にかけて用いる構造を一例として示したが、カードや虫眼鏡のような形状であって手に持って用いる構造のもの、さらには衝立や窓のように自立しており、それを通して覗き込んで用いる構造であってもよい。光シャッター１３とシャッター開閉手段１３Ａは一体化された構造であってもよい。【００２４】
シャッター開閉制御手段１８から送られる同期信号１４は有線によって送られても、赤外線や電波を用いた無線方式によって送られてもよい。また、シャッター開閉制御手段１８は表示制御手段１１の内部に設けてもよい。【００２５】
図３は、本第１の実施形態の処理ルーチンを示すフローチャートである。このフローチャートと図１及び図２に沿ってこの第１の実施形態の動作を説明する。
通常の画像表示から複数画像の順次表示モードに切り替えた場合を考える（ステップＳ１０１）。表示の切替えは、例えば、主制御手段１２に接続された図示していない操作設定手段などによって行われる。これによって、表示制御手段１１は、表示パネル１１Ａに特定画像を含む複数画像を繰り返し順次表示する（ステップＳ１０２：画像表示工程）。点滅周期検出手段１９は間欠照明１５の点滅の周期を検出する（ステップＳ１０３：点滅周期検出工程）。【００２６】
つぎに、主制御手段１２は、現在の特定画像の表示周期が間欠照明１５の点滅周期の整数倍かどうかを判定する（ステップＳ１０４）。特定画像の表示周期が点滅周期の整数倍でない場合、表示周期制御手段１７は、表示パネル１１Ａの画像表示周期を変更する（ステップＳ１０５：画像表示周期調整工程）。ステップＳ１０４において、特定画像の表示周期が点滅周期の整数倍のときは、シャッター開閉制御手段１８は、それに応じて光シャッター１３の開閉タイミングを制御するための基準となる同期信号１４を送信し、シャッター開閉手段１３Ａは、特定画像に合わせて周期的に光シャッター１３を開く（ステップＳ１０６：光シャッター開閉制御工程）。
この処理ルーチンによって、第１の実施形態は、特定画像の表示周期が間欠照明１５の点滅周期の整数倍となるよう画像表示周期を変更して、最適化する。特定画像の表示周期、すなわち光シャッターの開閉周期が間欠照明の点滅周期の整数倍になると、光シャッターを透過する間欠照明の光量は光シャッターの開期間内で一定となり、フリッカが生じない。
以下に具体例を挙げて説明する。【００２７】
図４は、本第１の実施形態の各部波形とそのタイミングの一例を示すタイミング図である。図４では、間欠照明１５（蛍光灯）を点灯する交流電源電圧の波形（１）、その蛍光灯の明るさの変化波形（２）、この第１の実施形態の表示パネル１１Ａによる通常の表示タイミング（３）、その複数画像（３画像）表示モードでの表示タイミング（４）、複数画像表示モードでの特定画像に合わせて開閉される光シャッター１３の開閉タイミング（５）、及びこの光シャッター１３の開いた時間に通過する蛍光灯の光量（６）が示されている。なお（６）において、グラフの波形は光シャッター１３を透過した蛍光灯の明るさの変化を示し、塗りつぶした領域の面積が光量を示している。【００２８】
ここで、交流電源電圧波形（１）の周期は１／６０秒であり、この交流電源によって駆動される蛍光灯の明るさの変化周期（２）は１／１２０秒である。この第１の実施形態の通常の表示タイミング（３）では、表示は１／６０秒で切り替わる。また、複数画像表示モードの表示タイミング（４）としては、特定画像と、その特定画像の反転画像と、公衆画像がこの順に１／６０秒の間に順次表示される場合のタイミングを示している。
光シャッター１３は、表示パネル１１Ａへの特定画像の書込み終了後から反転画像の書込み前までの期間、開状態になっており、これにより、表示パネル１１Ａ上に、光シャッター１３の使用者には特定画像が、他者には公衆画像が視認されることになる。【００２９】
この場合、ある特定画像から次の特定画像までの周期は１／６０秒であり、蛍光灯点滅周期（２）の１／１２０秒の２倍となっている。すなわち、図３のステップＳ１０４において、特定画像の表示周期が照明点滅周期の整数倍となっているので、ステップＳ１０５には進まずに、ステップＳ１０６に進み、光シャッター１３の動作を実行している。このようなタイミング設定であるため、光シャッター１３を通過する蛍光灯の通過光量は、（６）に示すようにどのシャッター開期間においても一定となり、光シャッター１３の使用者はフリッカを感知しない。
ここで、光シャッター１３が液晶式の場合、電圧印加から液晶の応答までに遅延が生じるため、液晶駆動電圧波形のタイミングは必ずしも光シャッター開閉タイミング（５）とは完全には一致していない。それを考慮してシャッター開閉手段１３Ａの開閉タイミングが制御される。
また、表示パネル１１Ａが液晶ディスプレイの場合、表示タイミング（４）は、画像書込み終了後にバックライトの点灯を行っているが、これに限定することなくバックライトは常に点灯状態のまま、書込みが終了した時点で光シャッター１３を開くようにしてもよいし、光シャッター１３が開になってからバックライトを点灯してもよい。【００３０】
図５は、本発明の第１の実施形態のタイミングの他の例を示す図である。
この例では、順次表示する複数画像として、立体画像モード用の右眼画像と左眼画像とを用いている。右眼画像表示時には右眼側の光シャッターが、左眼画像表示時には左眼側の光シャッターが開状態となる。
図５には、図４と同様に、蛍光灯を点灯する交流電源電圧波形（１）、その蛍光灯の明るさの変化波形（２）、本第１の実施形態の表示パネルの通常の表示タイミング（３）が示されている。さらに、その立体画像モードの左右画像の表示タイミング（４）、立体画像モードでの右シャッターの開閉タイミング（５）、右シャッターを通過する蛍光灯の光量（６）、立体画像モードでの左シャッターの開閉タイミング（７）、左シャッターを通過する蛍光灯の光量（８）がこの順に示されている。【００３１】
この場合も、ある右眼あるいは左眼画像から次の右眼あるいは左眼画像までの周期（４）は１／６０秒であって、蛍光灯点滅周期（２）の１／１２０秒の２倍となっている。したがって、図３のステップＳ１０４から直接ステップＳ１０６に進み、光シャッター１３の動作を実行している。このようなタイミング設定であるので、（６）の右シャッター通過光量の積分値、（７）の左シャッター通過光量とも、左右どちらのシャッター開期間においても一定となり、光シャッター１３の使用者はフリッカを感知しない。【００３２】
図６は、図４の複数画像の順次表示モードでの特定画像表示において、電源電圧の周波数が変わってその周期が１／６０秒から１／５０秒に、蛍光灯点滅周期が１／１２０秒から１／１００秒に変化した場合に、本発明の実施形態を適用しなかった場合に生じる問題点を説明するためのタイミング図である。
図６では、蛍光灯を点灯する交流電源電圧波形（１）、その蛍光灯の明るさの変化波形（２）、通常の表示タイミング（３）、複数画像（３画像）表示モードでの表示タイミング（４）、複数画像表示モードでの特定画像に合わせた光シャッター１３の開閉タイミング（５）、及びこの光シャッター１３の開いた時間に通過する蛍光灯の光量（６）がこの順に示されている。
この場合では、蛍光灯の点滅周期が１／１００秒であるのに対し、画像の表示周期は１／６０秒のままなので、光シャッター１３を通過する光量（６）は１／１００秒と１／６０秒の公倍数である１／２０秒ごとに同一となるが、その間は図に示したようにシャッター１３の開期間ごとにシャッターを通過する光量が異なり、その結果１／２０秒周期で明るさが変動し、光シャッター１３を用いた利用者に２０Ｈｚのフリッカが認識される。【００３３】
同様に、図７は、図５の立体画像モードでの表示状態から電源電圧の周期が１／５０秒、蛍光灯点滅周期が１／１００秒に変化した場合に、順次表示する複数画像が立体画像用の右眼画像と左眼画像である場合の、本発明を適用しない場合の問題点を説明するためのタイミング図である。
図７では、蛍光灯の明るさの変化波形（１）、立体画像モードの左右画像の表示タイミング（２）、立体画像モードでの右シャッターの開閉タイミング（３）、右シャッターを通過する蛍光灯の光量（４）、立体画像モードでの左シャッターの開閉タイミング（５）、左シャッターを通過する蛍光灯の光量（６）がこの順に示されている。
図６の場合と同じく、左右各シャッターの通過光量は１／２０秒周期で変化し、光シャッター１３を用いた利用者に２０Ｈｚのフリッカが認識される。【００３４】
図８は、図６に示したように電源電圧の周期が１／６０秒から１／５０秒に変化した状況に対して本発明の実施形態を適用して、特定画像の表示周期を間欠照明１５の点滅周期の２倍に合わせて変更した場合のタイミング図である。
図８では、蛍光灯の明るさの変化波形（１）、複数画像（３画像）表示モードでの表示タイミング（２）、複数画像表示モードでの特定画像に合わせた光シャッター１３の開閉タイミング（３）、及びこの光シャッター１３の開いた時間に通過する蛍光灯の光量（４）がこの順に示されている。
図８では、電源電圧の周波数が変わってその周期が１／６０秒から１／５０秒に、蛍光灯点滅周期が１／１２０秒から１／１００秒に変化すると、図３のステップＳ１０４において、特定画像の表示周期が１／６０秒のままでは、照明点滅周期1／１００秒の整数倍になっていないので、ステップＳ１０５に進み、表示周期制御手段１７により、特定画像の表示周期を１／６０秒から１／５０秒に変更する。
そこで、図８では、ある特定画像の表示点から次の特定画像の表示点までの表示周期（２）が図６に示した１／６０秒から１／５０秒に変更され、蛍光灯の点滅周期の１／１００秒の２倍となっている。その結果、（４）に示した光シャッター１３の通過光量は、図６の場合と異なり、どのシャッター開期間においても一定となり、従ってフリッカの発生がなくなっている。【００３５】
図９は、図６の状況に対して本発明の実施形態を適用した場合の別の例を示した図である。
図９でも、蛍光灯の明るさの変化波形（１）、複数画像（３画像）表示モードでの表示タイミング（２）、複数画像表示モードでの特定画像に合わせた光シャッター１３の開閉タイミング（３）、及びこの光シャッター１３の開いた時間に通過する蛍光灯の光量（４）がこの順に示されている。
この場合、ある特定画像から次の特定画像までの表示周期（２）が１／１００秒に変更され、蛍光灯の点滅周期１／１００秒の１倍となっている。この場合も、光シャッター１３の通過光量（４）は、どのシャッター開期間においても一定となり、フリッカの発生がなくなっている。【００３６】
図１０は、図６の状況に対して本発明を適用する場合の好ましい例を説明するための図である。図１０でも、蛍光灯の明るさの変化波形（１）、複数画像（３画像）表示モードでの表示タイミング（２）、複数画像表示モードでの特定画像に合わせた光シャッター１３の開閉タイミング（３）、及びこの光シャッター１３の開いた時間に通過する蛍光灯の光量（４）がこの順に示されている。
ここでは、ある特定画像から次の特定画像までの表示周期（２）が１／２５秒に変更され、蛍光灯の点滅周期１／１００秒の４倍となっている。この場合も、光シャッター１３の通過光量（４）は、どのシャッター開期間においても一定となる。しかし、光シャッター１３の開閉による明暗の周期が１／２５秒と長くなりすぎて、この明暗をフリッカとして認識されてしまう。このため、特定画像の表示周期があまり長くなると好ましくなく、この周期は１／５０秒以下であることが望ましい。
したがって、表示周期制御手段１７は、点滅周期検出手段１９が検出する点滅周期が１／１００秒の場合には、特定画像の表示周期を１／５０秒あるいは１／１００秒のいずれか１つに設定し、点滅周期が１／１２０秒の場合には、１／６０秒あるいは１／１２０秒のいずれか１つに設定するのが望ましい。【００３７】
図１１は、図７の立体画像表示モードに対して本発明の実施形態を適用した場合の一例を示した図である。
図１１では、蛍光灯の明るさの変化波形（１）、立体画像モードの左右画像の表示タイミング（２）、立体画像モードでの右シャッターの開閉タイミング（３）、右シャッターを通過する蛍光灯の光量（４）、立体画像モードでの左シャッターの開閉タイミング（５）、左シャッターを通過する蛍光灯の光量（６）がこの順に示されている。
この場合では、ある右眼画像から次の右眼画像までの表示周期（２）が１／５０秒に変更され、蛍光灯の点滅周期１／１００秒の２倍となっている。その結果、（４）に示した右眼側光シャッターの通過光量、（６）に示した左眼側光シャッターの通過光量とも、図７の場合と異なり、どのシャッター開期間においても一定となっていて、フリッカが発生しない。【００３８】
図１２は、本第１の実施の形態の別の処理ルーチンを示すフローチャートである。点滅周期検出手段１９、あるいは表示制御手段１１に、使用者が商用電源周波数などに対応する画像表示周期を直接入力する場合である。
通常の画像表示から複数画像の順次表示モードに切り替えて設定する（ステップＳ２０１）。複数画像を順次繰り返し表示し（ステップＳ２０２）、その複数画像のうちの特定画像に合わせて光シャッター１３を開くようにする（ステップＳ２０３）。
この状態で、光シャッターを用いている使用者がフリッカを認識するかどうかを判定する（ステップＳ２０４）。認識した場合には、商用電源周波数などを直接入力し、制御手段１０Ａの画像表示周期を変更する（ステップＳ２０５）。再びステップＳ２０３に戻って、光シャッター１３の開閉をこの画像表示周期に合わせた後、ステップ２０４でフリッカが認識されるかどうかを判定する。認識されなくなったときはステップＳ２０６に進んで現状を維持する。
フリッカが無視できない程度に残った場合は、更に、前記直接入力した画像表示周期を半分にするなどしてフリッカの発生しない状態を実現することができる。【００３９】
（第２の実施形態）
図１３は、本発明の第２の実施形態を示すブロック図である。図１３に示すように、本第２の実施形態では、表示システム２０は、制御手段２０Ａと、光シャッター部２３と、光センサ２４Ａとから構成されている。この第２の実施形態が図１に示す第１の実施形態と異なる点は、光センサ２４Ａを用いて、間欠照明１５の点滅周期を検出し、それに応じて画像の表示周期を変更している点である。
制御手段２０Ａは、表示制御を行う表示制御手段２１と、表示パネル２１Ａとから構成されている。表示制御手段２１には、表示システム２０全体の制御を行う主制御手段２２と、間欠照明１５の明るさの変動を検出する点滅周期検出手段２４と、表示パネル１１Ａに表示される画像の表示周期を制御する表示周期制御手段２５と、表示する画像が通常画像表示モードか複数画像の順次表示モードかを設定する操作設定手段２６などが含まれている。なお、実施形態では、制御手段２０Ａに表示パネル１１Ａを組み込んだ例を説明したが、これに限られるものではなく、表示パネル１１Ａを制御手段２０Ａから分離して独立に設けてもよいものである。【００４０】
さらに、点滅周期検出手段２４には、間欠照明１５の明るさの変動を、フォトダイオードなどの光センサ２４Ａの出力から検出する明るさ変動検出手段２４１が含まれている。表示周期制御手段２５には、画像の表示周期を変更する画像表示周期変更手段２５１と、画像表示周期の同期信号を光シャッター部２３に送信する同期信号送信手段２５３が含まれている。光シャッター部２３は、特定画像の表示に合わせて開閉する光シャッター２３３と、それを駆動するシャッター開閉手段２３３Ａと、開閉のタイミング制御を行うシャッター開閉制御手段２３２と、同期信号送信手段２５３からの同期信号を受信する同期信号受信手段２３１が含まれている。【００４１】
図１４は、本発明の第２の実施形態の処理ルーチンを示すフローチャートである。図１３及び図１４に沿って第２の実施形態の動作を説明する。
操作設定手段２６からの設定によって順次表示モードが設定されて、通常の表示モードから複数画像の順次表示モードに切り替わる（ステップＳ３０１）。これにより、表示周期制御手段２５の働きによって表示パネル２１Ａ上に複数画像が順次繰り返し表示される（ステップＳ３０２：画像表示工程）。
ここで、点滅周期検出手段２４は、光センサ２４Ａの出力から明るさ変動検出手段２４１を用いて間欠照明１５の点滅周期を検出する（ステップＳ３０３：点滅周期検出工程）。つぎに、主制御手段２２は、現在の特定画像の表示周期が間欠照明１５の点滅周期の整数倍かどうかを判定する（ステップＳ３０４）。
整数倍でない場合は、画像表示周期変更手段２５１により画像表示周期を変更する（ステップＳ３０５：画像表示周期調整工程）。【００４２】
ステップＳ３０４において、特定画像の表示周期が点滅周期の整数倍のときは、表示周期制御手段２５は複数画像のうちの特定画像に合わせて同期信号送信手段２５３から同期信号を送り、光シャッター部２３はこの同期信号を同期信号受信手段２３１で受けてシャッター開閉制御手段２３２、シャッター開閉手段２３３Ａを働かせて光シャッター２３３を特定画像に合わせて開く（ステップＳ３０６：光シャッター開閉制御工程）。【００４３】
この処理ルーチンによって、第２の実施形態では、光シャッターの開閉周期は間欠照明の点滅周期の整数倍になるので、光シャッターを透過する間欠照明の光量は各光シャッターの開時間内で一定となり、フリッカが生じない。第２の実施形態は、第１の実施形態に比べて、商用電源周波数がわからない場合や、表示装置が商用電源を用いずバッテリーで駆動する場合でも、光センサを用いて間欠照明の点滅周期を直接検出するので、確実にフリッカの発生を抑制できる。さらに、間欠照明が蛍光灯とは異なり、商用電源周波数と無関係に点滅する光源に対しても有効にフリッカを解消できる。【００４４】
図１４のフローチャートのステップＳ３０３において、光センサ２４Ａの出力から明るさ変動検出手段２４１を用いて間欠照明１５の点滅周期を検出するためには、光センサ２４Ａを間欠照明１５からの照明光を受光できる位置に配置しておく。ただし、表示パネル２１Ａとして反射型あるいは半透過型の表示パネルが用いられている場合は、表示パネル２１Ａからの反射光を受光できる位置に光センサ２４を配置しても良い。
ここで、ステップＳ３０３で検知している明るさは、照度であっても輝度であってもよい。また、複数画像表示モードに切り替わってから、明るさ検知や表示周期制御を始める方法以外に、あらかじめ検知しておいた間欠照明１５の点滅周期の結果を複数画像表示モードに切り替えた直後に適用するようにしても差し支えない。【００４５】
図１５は、本第２の実施形態の別の構成を示すブロック図である。
表示システム３０は、制御手段３０Ａと、光シャッター部３３と、光センサ３６Ａとから構成されている。この例が、第１の実施の形態や図１３に示す例と異なる点は、明るさの変動などを検出する点滅周期検出手段３６が光シャッター部３３に組み込まれている点である。
光シャッター部３３は、点滅周期検出手段３６と、特定画像の表示に合わせて開閉する光シャッター３９と、その開閉を駆動するシャッター開閉手段３９Ａと、開閉のタイミング制御を行うシャッター開閉制御手段３８と、制御手段３０Ａからの表示同期信号を受信する表示同期信号受信手段３７とから構成されている。
点滅周期検出手段３６は、光センサ３６Ａの出力から間欠照明１５の明るさの変動を検出する明るさ変動検出手段３６１と、検出結果から得られた点滅同期信号を制御手段３０Ａに送信する点滅同期信号送信手段３６３とから構成されている。
制御手段３０Ａは、表示制御を行う表示制御手段３１と、表示パネル３１Ａとからなり、表示制御手段３１には、表示システム３０全体の制御を行う主制御手段３２、表示パネル３１Ａでの表示を制御する表示周期制御手段３４、表示システム３０の動作を設定する操作設定手段３５などが設けられている。なお、実施形態では、制御手段３０Ａに表示パネル３１Ａを組み込んだ例を説明したが、これに限られるものではなく、表示パネル３１Ａを制御手段３０Ａから分離して独立に設けてもよいものである。
表示周期制御手段３４は、光シャッター部３３の点滅同期信号送信手段３６３から送られる間欠照明１５の明るさの変動に対応した点滅同期信号を受信する点滅同期信号受信手段３４１と、画像の表示周期を変更する画像表示周期変更手段３４２と、画像の表示周期を表す表示同期信号を光シャッター部３３の表示同期信号受信機手段３７に送信する表示同期信号送信手段３４４を含んで構成されている。【００４６】
点滅周期検出手段３６では、光センサ３６Ａの出力を受けた明るさ変動検出手段３６１での検知結果が、点滅同期信号送信手段３６３によって表示制御手段３１に送信されて、表示周期制御手段３４の点滅同期信号受信手段３４１によって受信され、これを基に、画像表示周期変更手段３４２で画像表示周期が適正化され、その結果は表示同期信号送信手段３４４によって光シャッター部３３の表示時同期信号受信手段３７に送られ、これを基にシャッター開閉制御手段３８が適正化された条件で光シャッター３９をシャッター開閉手段３９Ａにより開閉する。
本実施形態によれば、間欠照明の点滅周期を直接検出するので、確実にフリッカの発生を抑制できる。さらに、点滅周期検出手段などを検出に適した位置、あるいは装備が容易な位置に配置することができ、表示システムの構成を使用用途に応じて適したものとすることができる。光センサ３６Ａは、間欠照明１５からの照明光を受光できる位置に配置しておく。ただし、表示パネル２１Ａとして反射型あるいは半透過型の表示パネルが用いられている場合は、表示パネル２１Ａからの反射光を受光できる位置に光センサ２４を配置しても良い。【００４７】
さらに、光センサ３６を光シャッター３９の透過光の明るさを検出する位置に配置した透過光検出手段としてもよい。光シャッター３９の透過光からフリッカを直接検知し、例えば画像表示周期を順次変えるなどの方法で、フリッカを抑制する最適な画像表示周期を決定しても良い。【００４８】
図１６は、本第２の実施形態のさらに別の構成を示すブロック図である。
この例では、表示システム４０は、制御手段４０Ａと、光シャッター部４４と、外付け装置４３と、光センサ４６Ａとから構成されている。間欠照明１５の明るさを検出する点滅周期検出手段４６と、表示パネル４１Ａ上の表示の制御を行う表示周期制御手段の一部機能｛表示周期制御手段（ａ）４７｝とが別の筐体の外付け装置４３に組み込まれている点が、第１の実施の形態や図１３及び図１５に示す例と異なる点である。その他の点では、上述した第１の実施形態や図１３及び図１５の例と同様の動作を行う。なお、実施形態では、制御手段４０Ａに表示パネル４１Ａを組み込んだ例を説明したが、これに限られるものではなく、表示パネル４１Ａを制御手段４０Ａから分離して独立に設けてもよいものである。
点滅周期検出手段４６は光センサ４６Ａを用いて、間欠照明１５の明るさ変動を明るさ変動検出手段４６１で検出して表示周期制御手段（ａ）４７に入力する。表示パネル２１Ａとして反射型あるいは半透過型の表示パネルが用いられているときに、表示パネル２１Ａからの反射光を受光することで点滅周期を検出する画像明るさ検出手段が備えられていてもよい。
表示周期制御手段（ａ）４７は画像表示周期変更手段（ａ）４７１を用いて適正な表示制御信号を作成し、これを表示制御信号送信手段４７３を介して表示制御手段４１に送信する。
表示制御手段４１では、表示周期制御手段（ｂ）４５が表示制御信号受信手段４５１で表示制御信号を受信し、画像表示周期変更手段（ｂ）４５２を用いて画像表示周期を変更する。変更された画像表示周期の同期信号は、表示同期信号送信手段（ａ）から、外付装置４３に組み込まれている表示同期信号送受信部４８の表示信号受信手段（ａ）４８１と表示同期信号送信手段（ｂ）を介して、あるいは、直接光シャッター部４４の表示同期信号受信手段（ｂ）４４１に送信される。
光シャッター部４４には、表示同期信号を受信する表示同期信号受信手段（ｂ）４４１と、光シャッター４４３の開閉タイミングを制御するシャッター開閉制御手段４４２と、光シャッター４４３を駆動するシャッター開閉手段４４３Ａとが設けられている。
本実施形態によれば、間欠照明の点滅周期を直接検出するので、確実にフリッカの発生を抑制できる。さらに、１台の外付装置で複数の表示装置や光シャッター部を制御することができる。【００４９】
（第３の実施形態）
図１７は、本発明の第３の実施形態の一例を示すブロック図である。
表示システム５０は、制御手段５０Ａと、光シャッター部５３と、光センサ５４Ａとから構成されている。この第３の実施形態が図１３に示す第２の実施形態と異なる点は、点滅位相検出手段５４２と、画像表示開始点変更手段５５２とを用いて、表示パネル５１Ａの表示開始タイミングを変更し、それに伴い光シャッター５３３の開期間の位相を調整している点である。その他の動作は第２の実施形態と同様である。なお、実施形態では、制御手段５０Ａに表示パネル５１Ａを組み込んだ例を説明したが、これに限られるものではなく、表示パネル５１Ａを制御手段５０Ａから分離して独立に設けてもよいものである。【００５０】
図１８は、表示パネル５１Ａとして反射型あるいは半透過型の表示パネルが用いられている場合、図１９は、表示パネル５１Ａとして透過型、透過モードにある半透過型、投射型あるいは自発光型の表示パネルが用いられている場合の全体的構成を示す概略説明図である。
反射型あるいは反射モードにある半透過型の表示パネル５１Ａを用いている場合、照明は明るい方が表示画像を見易い。ところが、間欠照明１５の点滅のうち暗いときに光シャッター５３３が開になると、光シャッター５３３を利用している人は、間欠照明１５の反射光を利用して画像を認識するので、画像の明るさが暗くなってしまう。また、手元など周囲の明るさも暗くなってしまう。
一方、透過型、透過モードにある半透過型、投射型あるいは自発光型の表示パネル５１Ａの場合には、表示画面上に照明が映り込むので、照明は暗い方が表示画像を見易いときがある。映画のようなフロントプロジェクタの場合には、スクリーンが照明で明るくなってしまうと、画像のコントラストが低下するので、特に顕著である。
本実施形態ではこのような表示パネルの種類に応じて、表示画像の見やすさを最適にすることを可能にする。【００５１】
本第３の実施形態の処理ルーチンを図２０のフローチャートで示す。
通常の画像表示から操作設定手段５６の設定によって複数画像の順次表示モードに切り替えた場合（ステップＳ４０１）、複数画像が表示パネル５１Ａ上に順次繰り返し表示される（ステップＳ４０２：画像表示工程）。
ここで、点滅周期検出手段５４の明るさ変動検出手段５４１により間欠照明１５の明るさが検出され、明るさの変動から間欠照明１５の点滅周期が検出される（ステップＳ４０３：点滅周期検出工程）。
つぎに、主制御手段５２は、現在の特定画像の表示周期が照明点滅周期の整数倍であるかどうかを判定する（ステップＳ４０４）。
整数倍でない場合は、表示周期制御手段５５の画像表示周期変更機能５５１を用いて画像表示周期を変更する（ステップＳ４０５：画像表示周期調整工程）。【００５２】
ステップＳ４０４で特定画像の表示周期が照明点滅周期の整数倍である場合は、その状態で、間欠照明の目的とする明るさ領域と光シャッター５３３の開期間の位相ずれがあるかどうかを検知する（ステップＳ４０６）。位相ずれがある場合、光シャッター５３３の通過光量が最適となるよう表示周期制御手段５５の画像表示開始点変更手段５５２を働かせ画像表示の開始タイミングを調整する（ステップＳ４０７）。
この場合の「目的とする明るさ領域」については後で説明する。
ステップＳ４０６において、目的とする明るさ領域と光シャッター５３３の開期間の位相ずれがなければステップＳ４０８に進んで、画像周期に合わせて同期信号送信手段５５３より同期信号を光シャッター部５３の同期信号受信手段５３１に送り、シャッター開閉制御手段５３２を介して光シャッター５３３を特定画像の表示周期に合わせて開かせる（ステップＳ４０８：光シャッター開閉制御工程）。【００５３】
図２１は、図１７の構成において本発明の実施形態を適用した場合の表示タイミングの一例を示した図である。表示パネル５１Ａとして反射型あるいは半透過型の表示パネルが用いられている場合の例である。
この図では、蛍光灯の明るさ変化波形（１）、複数画像（３画像）表示モードでの表示タイミング（２）、複数画像表示モードでの特定画像に合わせて開閉される光シャッター５３３の開閉タイミング（３）、及びこの光シャッター５３３の開いた時間に通過する蛍光灯の光量（４）が示されている。
ここでは、ある特定画像から次の特定画像までの表示周期（２）が１／６０秒と、蛍光灯の点滅周期１／１２０秒の２倍となっており、更に光シャッターを通過する光量が最大となるよう、特定画像の表示開始タイミングと蛍光灯の明るさのピーク位置との位相差が調整される。その結果、（４）に示した光シャッターの通過光量は、どのシャッター開期間においても光量が最大となる位置で一定となり、光シャッターの使用者は、反射型あるいは半透過型の表示パネル上に明るい画像を視認できる。
前述の「目的とする明るさ領域」とは、この例では蛍光灯の明るさのピーク位置となる。【００５４】
図２２は、図１８の構成において本発明の実施形態を適用した場合の表示タイミングの一例を示した図である。図２２の例は、表示パネル５１Ａとして透過型、透過モードにある半透過型、投射型あるいは自発光型の表示パネルが用いられている場合の例である。
図２２では、蛍光灯を点灯する交流電源電圧波形（１）、蛍光灯の明るさ変化波形（２）、通常画像の表示タイミング（３）、複数画像（３画像）表示モードでの表示タイミング（４）、複数画像表示モードでの特定画像に合わせて開閉される光シャッター６３の開閉タイミング（５）、及びこの光シャッター６３の開いた時間に通過する蛍光灯の光量（６）が示されている。
ある特定画像から次の特定画像までの表示周期（４）が１／６０秒と、蛍光灯の点滅周期１／１２０秒の２倍となっており、更に光シャッターを通過する光量が最小となるよう、特定画像の表示開始タイミングと蛍光灯の明るさのボトム位置との位相差が調整される。その結果、（６）に示した光シャッターを通過する蛍光灯の光量は、どのシャッター開期間においても光量の積分値が最小となる位置で一定となり、表示画像に対する照明光の影響を最小限にすることができる。
前述の「目的とする明るさ領域」とは、この例では蛍光灯の明るさのボトム位置となる。もちろん「目的とする明るさ領域」は、蛍光灯の明るさのピーク位置やボトム位置に限らず、所望の位置に設定してもよい。このように、蛍光灯のような間欠照明下であってもフリッカが生じるのを防止することができると共に、表示パネルの種類に応じて、表示画像の見やすさを最適にすることが可能である。【００５５】
（第４の実施形態）
背景技術の特許文献１では、光シャッターの使用者のみが正常画像を、例えば秘密画像を見ることができ、光シャッターを使用していない人には有効な画像情報を提示しない技術が開示されている。本第４の実施形態では、複数画像のうち特定画像を全面黒画面とし、その他の画像に有効な画像を、例えば秘密画像を表示することで、光シャッターを使用せずに秘密画像を見ることができ、その他の人には光シャッターで秘密画像を見せない場合について、本発明の技術を適用した例について説明する。【００５６】
図２３は、第４の実施形態に係る表示システムを説明するための図である。例えば銀行のＡＴＭ端末に適用した例を示す。【００５７】
本第４の実施形態の表示システム２００は、複数画像を順次切り替えて表示する制御手段２１０Ａと、順次表示される画像のうち、特定画像に同期して開閉を繰り返す光シャッター２１３とから構成されている。【００５８】
制御手段２１０Ａには、表示パネル２１１Ａと、図には明示していないが表示制御を行う表示制御手段（例えば第１の実施形態の表示制御手段１０Ａに相当する）が含まれている。さらに前記表示制御手段には、表示システム２００全体を制御する主制御手段（例えば第１の実施形態の主制御手段１１に相当する）と、間欠照明２１５の点滅周期と位相を検出する点滅周期検出手段（例えば第１の実施形態の点滅周期検出手段１９に相当する）と、表示パネル２１１Ａに表示される画像の表示周期を制御する表示周期制御手段（例えば第１の実施形態の表示周期制御手段１７に相当する）とが含まれている。【００５９】
光シャッター２１３は、ＡＴＭ端末に入室するためのドア２０１に取り付けられており、図には明示していないが、光シャッター２１３を駆動するシャッター開閉手段や、光シャッター２１３の開閉タイミングを制御するシャッター開閉制御手段が含まれている。【００６０】
ＡＴＭ端末において、利用者は、表示パネル２１１Ａに表示されている秘密情報を他者には見られたくない。さらに、図２に示したようなメガネを装着するのは煩わしいうえ、不特定多数が利用するので衛生上の問題がある。一方、ドア２０１の外からは、利用上および防犯上の理由により、他者が中の様子を見えるようにしたいという要望がある。【００６１】
本第４の実施形態では、表示パネル２１１Ａに特定画像として前面黒画像が表示され、その他の画像に暗証番号入力画面や取引に関わる有効な情報の画像が表示される。これらは、間欠照明１５の点滅周期に合わせて表示され、しかも間欠照明１５が明るいときに前面黒画像が表示され、暗いときに有効情報画像を表示されるように、表示周期制御手段２１０Ａによって制御される。また、表示周期制御手段２１０Ａからの情報を基に、光シャッター２１３は、表示パネル２１１Ａに特定画像としての黒画像を表示しているときに光を透過する状態に、有効情報画像を表示しているときに光を透過しない状態になるように、開閉タイミングを制御するシャッター開閉制御手段とシャッター開閉手段により駆動される。つまり、光シャッター２１３は、間欠照明１５が明るいときに光を透過する状態に、間欠照明１５が暗いときに光を透過しない状態になっている。【００６２】
ドア２０１の内側、すなわち表示パネル２１１Ａと光シャッター２１３の間にいる利用者には、表示パネル２１１Ａに黒画像と有効情報画像が交互に提示され、それらの時間積分した画像として、有効情報画像が認識される。【００６３】
一方、ドア２０１の外側にいる他者からは、表示パネル２１１Ａ上には黒画像のみが見える。すなわち他者に有効な情報を見られることがない。しかも、表示パネル２１１Ａに表示されている画像以外の中の様子は、明るく見ることができる。間欠照明１５と光シャッタ２１３は同期がとられているのでフリッカが発生することもない。【００６４】
以上説明したように、本実施形態によれば、光シャッターを使用せずに秘密画像を見ることができ、その他の人には光シャッターで秘密画像を見せない表示システムをフリッカが発生することなく実現することができる。【００６５】
本実施形態はＡＴＭ端末に限らず、例えば会議室に適用すれば、会議室が利用されていることを外から確認できるが、中の会議で議論している情報は見ることができない表示システムに適用できるなど、さまざまな応用が可能である。
（第５の実施形態）【００６６】
図２４は、本発明の第５の実施形態を示すブロック図である。本第５の実施形態の表示システム１００は、複数画像を順次切り替えて表示する制御手段１００Ａと、順次表示される画像のうち、特定画像に同期して開閉を繰り返す光シャッター１３と、光シャッター１３を駆動するシャッター開閉手段１３Ａと、光シャッター１３の開閉タイミングを制御するシャッター開閉制御手段１８とから構成されている。また、制御手段１００Ａには、表示制御を行う表示制御手段１１と表示パネル１１Ａが含まれ、さらに、表示制御手段には、表示システム１００全体を制御する主制御手段１２と、表示パネル１１Ａに表示される画像の表示周期を制御する表示周期制御手段１７と、間欠照明１５によって生じる点滅の周期を検出する点滅周期検出手段１０９が含まれている。なお、実施形態では、制御手段１００Ａに表示パネル１１Ａを組み込んだ例を説明したが、これに限られるものではなく、表示パネル１１Ａを制御手段１００Ａから分離して独立に設けてもよいものである。【００６７】
この第５の実施形態が図１に示した第１の実施形態と異なる点は、点滅周期検出手段１９の代わりに点滅周期制御手段１０９が用いられ、間欠照明１５の点滅周期を制御している点である。その他の動作は図１に示す第１の実施形態と同様である。【００６８】
特定画像の表示周期、すなわち光シャッター１３の開閉周期が間欠照明１５の点滅周期の整数倍になると、光シャッター１３を透過する間欠照明１５の光量は光シャッターの開期間内で一定となり、フリッカが生じない。【００６９】
これを実現するために、第１の実施形態から第４の実施形態では、間欠照明１５の点滅周期を検出して、その点滅周期に基づいて表示パネル１１Ａに表示する特定画像の表示周期を表示周期制御手段１７で制御している。【００７０】
本第５の実施形態では、点滅周期制御手段１０９を用いて間欠照明１５の点滅周期を、特定画像の表示周期が間欠照明１５の点滅周期の整数倍になるように制御している。すなわち、特定画像の表示周期に基づいて設定された間欠照明の点滅周期に関わる同期信号を主制御手段１２から点滅周期制御手段１０９に送り、それに同期させて間欠照明１５を駆動する。【００７１】
間欠照明１５の点滅周期を変更するには、例えば蛍光灯の場合、商用交流電源を整流回路で直流化した後、別の周波数の交流電源に変換するインバータを設け、その交流電源の周波数を変更することで実現できる。ＬＥＤ光源の場合にはパルス点灯とし、そのパルスの周波数を変更すればよい。制御するための同期信号は有線で送信しても、赤外線や無線で送信しても構わない。【００７２】
表示パネルの特定画像の表示周期は一定とし、その周期に間欠照明の点滅周期の同期をとる方法以外に、特定画像の表示周期を時間的に変調し、その変化に間欠照明の点滅周期を追随させてもよい。この場合、他者がある一定の周期で開閉する光シャッターを用いて覗き見を図ろうとしても、同期はとれないため特定画像の秘匿性が向上するという効果がある。
本実施の形態では、図１に示した第１の実施形態における点滅周期検出手段１９の代わりに点滅周期制御手段１０９を用いたものとして説明したが、第３や第４の実施の形態に適用しても同様の効果が得られる。すなわち、間欠照明の点滅周期を検出して、その点滅周期に基づいて表示パネルに表示する特定画像の表示周期と位相を表示周期制御手段で制御していたものから、点滅周期制御手段に点滅位相変更手段１１０をさらに設け、特定画像の表示周期に基づいて間欠照明の点滅周期と位相を最適化する制御を適用すればよい。【００７３】
本発明の実施形態での表示手段として表示パネルを用いたが、これに限られるものではない。要は、表示手段としては、特定画像を含む２種類以上の画像を順次繰り返し表示することが可能なものであれば、表示パネル以外のものであってもよい。また、本発明の実施形態では、間欠照明が制御手段に含まれない構成としたが、間欠照明を含んだ制御手段としても良い。また、画像表示周期変更手段（ａ）、画像表示周期変更手段（ｂ）は、第１の画像表示周期変更手段、第２の画像表示周期変更手段であり、画像同期信号送信手段（ａ）、画像同期信号送信手段（ｂ）は、第１の画像同期信号送信手段、第２の画像同期信号送信手段であり、画像同期信号受信手段（ａ）、画像同期信号受信手段（ｂ）は、第１の画像同期信号受信手段、第２の画像同期信号受信手段である。【００７４】
以上の説明では、本発明の表示システム、この表示システムでの特定画像表示方法について述べたが、上記した特定画像表示方法での各工程の実行内容をプログラム化してコンピュータに実行させるようにしても良い。このようにしても、上述した方法で行ったと同様な画像の表示効果が得られる。【００７５】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【００７６】
この出願は２００６年１１月８日に出願された日本出願特願２００６−３０３３９９を基礎とする優先権を主張し、その開示の全てをここに取り込む。
【産業上の利用可能性】
【００７７】
本発明によれば、情報処理端末や情報通信などの産業分野で広範囲に利用される可能性を有している。
【図面の簡単な説明】
【００７８】
【図１】本発明の第１の実施形態の構成を示すブロック図である。
【図２】図１に示す実施形態の概略構成を示す説明図である。
【図３】図１に示す実施形態の処理動作を示すフローチャートである。
【図４】図１に示す実施形態の複数画像表示の場合の各部波形とそのタイミングを示すタイミング図である。
【図５】図１に示す実施形態の立体画像表示の場合の各部波形とそのタイミングを示すタイミング図である。
【図６】複数画像表示の場合に間欠照明の点滅周期が変わった場合に生じる問題点を説明するための各部波形とそのタイミングを示すタイミング図である。
【図７】立体画像表示の場合に間欠照明の点滅周期が変わった場合に生じる問題点を説明するための各部波形とそのタイミングを示すタイミング図である。
【図８】図１に示す実施形態での複数画像表示の場合に間欠照明の点滅周期の変化に対応した場合の各部波形とそのタイミングを示すタイミング図である。
【図９】図１に示す実施形態での複数画像表示の場合に間欠照明の点滅周期の変化に対応した場合の各部波形とそのタイミングを示すタイミング図である。
【図１０】図１に示す実施形態での複数画像表示の場合に間欠照明の点滅周期の変化に対応する場合の好ましい例を説明するための各部波形とそのタイミングを示すタイミング図である。
【図１１】図１に示す実施形態での立体画像表示の場合に間欠照明の点滅周期の変化に対応した場合の各部波形とそのタイミングを示すタイミング図である。
【図１２】図１に示す実施形態の他の処理動作を示すフローチャートである。
【図１３】本発明の第２の実施形態の構成を示すブロック図である。
【図１４】図１３に示す実施形態の処理動作を示すフローチャートである。
【図１５】図１３に示す実施形態の他の構成を示すブロック図である。
【図１６】図１３に示す実施形態の他の構成を示すブロック図である。
【図１７】本発明の第３の実施形態の構成を示すブロック図である。
【図１８】図１７に示す実施形態の概略構成を示す説明図である。
【図１９】本発明の第３の実施形態の他の例の概略構成を示す説明図である。
【図２０】図１７に示す実施形態の処理動作を示すフローチャートである。
【図２１】図１７に示す実施形態の各部波形とそのタイミングを示すタイミング図である。
【図２２】図１７に示す実施形態の他の例の各部波形とそのタイミングを示すタイミング図である。
【図２３】本発明の第４の実施形態の構成を示す説明図である。
【図２４】本発明の第５の実施形態の構成を示す説明図である。
【図２５】関連する複数画像表示形式の表示システムの説明図である。
【符号の説明】
【００７９】
１０、２０、３０、４０、５０、６０、１００、２００  表示システム
１０Ａ、２０Ａ、３０Ａ、４０Ａ、５０Ａ、６０Ａ、２１０Ａ  制御手段
１１、５１、６１  表示制御手段
１１Ａ、５１Ａ、２１１Ａ  表示パネル
１３、５３、６３、２１３  光シャッター
１４  同期信号
１５、２１５  間欠照明
２３、３３、４４、５３  光シャッター部（光シャッター）
１８、２３２、３８、４４２、５３２  シャッター開閉制御手段
１７、２５、３４、４５、４７、５５  表示周期制御手段
２４、３６、４６、５４  点滅周期検出手段
１０９  点滅周期制御手段
１１０  点滅位相変更手段
５４２  点滅位相検出手段
【図１】
2008056753.tif 000003
【図２】
2008056753.tif 000004
【図３】
2008056753.tif 000005
【図４】
2008056753.tif 000006
【図５】
2008056753.tif 000007
【図６】
2008056753.tif 000008
【図７】
2008056753.tif 000009
【図８】
2008056753.tif 000010
【図９】
2008056753.tif 000011
【図１０】
2008056753.tif 000012
【図１１】
2008056753.tif 000013
【図１２】
2008056753.tif 000014
【図１３】
2008056753.tif 000015
【図１４】
2008056753.tif 000016
【図１５】
2008056753.tif 000017
【図１６】
2008056753.tif 000018
【図１７】
2008056753.tif 000019
【図１８】
2008056753.tif 000020
【図１９】
2008056753.tif 000021
【図２０】
2008056753.tif 000022
【図２１】
2008056753.tif 000023
【図２２】
2008056753.tif 000024
【図２３】
2008056753.tif 000025
【図２４】
2008056753.tif 000026
【図２５】
2008056753.tif 000027
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
間欠照明下で表示手段により特定画像を含む２種類以上の画像を順次繰り返し表示する表示システムであって、
周期的に点滅する間欠照明下において前記特定画像の表示周期と前記間欠照明の点滅周期とを前者が後者の整数倍になるように制御する制御手段を有することを特徴とする表示システム。
【請求項２】
光シャッターを有し、
前記光シャッターは、前記特定画像の表示周期に同期して開閉することで、前記特定画像のみを抽出することを特徴とする請求項１に記載の表示システム。
【請求項３】
前記制御手段は、
前記間欠照明の点滅周期を検出する点滅周期検出手段と、
前記特定画像の表示周期を変更する表示周期制御手段と、を含み
前記表示周期制御手段は、周期的に点滅する間欠照明下において、前記点滅周期検出手段で検出された点滅周期に基づいて、前記表示手段による前記特定画像の表示周期が前記間欠照明の点滅周期の整数倍になるように前記特定画像の表示周期を変更することを特徴とする請求項１に記載の表示システム。
【請求項４】
前記制御手段は、前記間欠照明の点滅周期を変更する点滅周期制御手段をさらに有し、
前記点滅周期制御手段は、周期的に点滅する間欠照明下において、前記特定画像の表示周期に基づいて、前記特定画像の表示周期が前記間欠照明の点滅周期の整数倍になるように前記間欠照明の点滅周期を制御することを特徴とする請求項３に記載の表示システム。
【請求項５】
前記点滅周期検出手段は、前記間欠照明の点滅位相を検出する点滅位相検出手段を有し、
前記表示周期制御手段は、表示する画像の表示開始時点を変更する画像表示開始点変更手段を有し、
前記画像表示開始点変更手段は、前記点滅位相検出手段が検出する前記点滅位相に、前記表示開始時点を同期させることを特徴とする請求項３に記載の表示システム。
【請求項６】
前記点滅周期制御手段は、前記間欠照明の点滅位相を変更する点滅位相変更手段を有し、
前記点滅位相変更手段は、表示する画像の表示開始時点に点滅位相を同期させることを特徴とする請求項４に記載の表示システム。
【請求項７】
前記点滅周期検出手段は、前記表示手段に供給される商用電源の交流電圧の波形から、前記間欠照明の点滅周期、或いは点滅位相を検出する請求項３又は５に記載の表示システム。
【請求項８】
前記表示周期制御手段は、前記点滅周期検出手段が検出する前記点滅周期が１／１００秒の場合に前記特定画像の表示周期を１／５０秒あるいは１／１００秒のいずれか１つに設定し、前記点滅周期が１／１２０秒の場合に１／６０秒あるいは１／１２０秒のいずれか１つに設定する請求項３又は５に記載の表示システム。
【請求項９】
前記点滅周期検出手段は、前記間欠照明の明るさの変動を検出することにより、前記間欠照明の点滅周期、或いは点滅位相を検出する請求項３又は５に記載の表示システム。
【請求項１０】
前記点滅周期検出手段は、前記光シャッターの透過光の変動を検出する透過光検出手段を備え、前記間欠照明の明るさの変動を検出する請求項３又は５に記載の表示システム。
【請求項１１】
反射型または半透過型の表示パネルを備え、
前記画像表示開始点変更手段は、前記点滅周期検出手段の検知結果を基に、前記光シャッターの開期間における通過光量の積分値が最大となるよう前記表示開始時点を変更する請求項５に記載の表示システム。
【請求項１２】
透過型、半透過型、投射型または自発光型の表示パネルを備え、
前記画像表示開始点変更手段は、前記点滅周期検出手段の検知結果を基に、前記光シャッターの開期間における通過光量の積分値が最小となるよう前記表示開始時点を変更する請求項５に記載の表示システム。
【請求項１３】
反射型または半透過型の表示パネルを備え、
前記点滅位相変更手段は、前記光シャッターの開期間における通過光量の積分値が最大となるよう前記点滅位相を変更する請求項６に記載の表示システム。
【請求項１４】
透過型、半透過型、投射型または自発光型の表示パネルを備え、
前記点滅位相変更手段は、前記光シャッターの開期間における通過光量の積分値が最小となるよう前記点滅位相を変更する請求項６に記載の表示システム。
【請求項１５】
前記点滅周期検出手段は、前記光シャッターの透過光の変動を検出する透過光検出手段を備え備え、前記間欠照明の明るさを検出する請求項１１〜１４のいずれか一項に記載の表示システム。
【請求項１６】
前記点滅周期検出手段を光シャッターに装備した請求項３又は５に記載の表示システム。
【請求項１７】
前記表示周期制御手段は、前記特定画像の表示周期を１／５０秒以下に制限する請求項３又は５に記載の表示システム。
【請求項１８】
前記光シャッターは液晶シャッターである請求項２に記載の表示システム。
【請求項１９】
前記２種類以上の画像が、前記特定画像と前記特定画像を反転させた反転画像を含む請求項１に記載の表示システム。
【請求項２０】
前記特定画像が、全面黒画面の画像である請求項１に記載の表示システム。
【請求項２１】
前記繰り返し順次表示される画像に、立体視に必要な右眼用画像と左眼用画像を含む請求項１に記載の表示システム。
【請求項２２】
間欠照明下で表示手段により特定画像を含む２種類以上の画像を順次繰り返す表示を制御する制御システムであって、
周期的に点滅する間欠照明下において前記特定画像の表示周期と前記間欠照明の点滅周期とを前者が後者の整数倍になるように制御する制御手段を有することを特徴とする制御システム。
【請求項２３】
前記制御手段は、
前記間欠照明の点滅周期を検出する点滅周期検出手段と、
前記特定画像の表示周期を変更する表示周期制御手段と、を含み
前記表示周期制御手段は、周期的に点滅する間欠照明下において、前記点滅周期検出手段で検出された点滅周期に基づいて、前記表示手段による前記特定画像の表示周期が前記間欠照明の点滅周期の整数倍になるように前記特定画像の表示周期を変更することを特徴とする請求項２３に記載の制御システム。
【請求項２４】
前記制御手段は、前記間欠照明の点滅周期を変更する点滅周期制御手段をさらに有し、
前記点滅周期制御手段は、周期的に点滅する間欠照明下において、前記特定画像の表示周期に基づいて、前記特定画像の表示周期が前記間欠照明の点滅周期の整数倍になるように前記間欠照明の点滅周期を制御することを特徴とする請求項２３又は２４に記載の制御システム。
【請求項２５】
前記点滅周期検出手段は、前記間欠照明の点滅位相を検出する点滅位相検出手段を有し、
前記表示周期制御手段は、表示する画像の表示開始時点を変更する画像表示開始点変更手段を有し、
前記画像表示開始点変更手段は、前記点滅位相検出手段が検出する前記点滅位相に、前記表示開始時点を同期させることを特徴とする請求項２３又は２４に記載の制御システム。
【請求項２６】
前記点滅周期制御手段は、前記間欠照明の点滅位相を変更する点滅位相変更手段を有し、
前記点滅位相変更手段は、表示する画像の表示開始時点に点滅位相を同期させることを特徴とする請求項２５に記載の制御システム。
【請求項２７】
前記点滅周期検出手段は、前記表示手段に供給される商用電源の交流電圧の波形から、前記間欠照明の点滅周期、或いは点滅位相を検出する請求項２４又は２６に記載の制御システム。
【請求項２８】
前記表示周期制御手段は、前記点滅周期検出手段が検出する前記点滅周期が１／１００秒の場合に前記特定画像の表示周期を１／５０秒あるいは１／１００秒のいずれか１つに設定し、前記点滅周期が１／１２０秒の場合に１／６０秒あるいは１／１２０秒のいずれか１つに設定する請求項２４又は２６に記載の制御システム。
【請求項２９】
前記点滅周期検出手段は、前記間欠照明の明るさの変動を検出することにより、前記間欠照明の点滅周期、或いは点滅位相を検出する請求項２４又は２６に記載の制御システム。
【請求項３０】
前記点滅周期検出手段は、前記光シャッターの透過光の変動を検出する透過光検出手段を備え、前記間欠照明の明るさの変動を検出する請求項２４又は２６に記載の制御システム。
【請求項３１】
反射型または半透過型の表示パネルの場合、
前記画像表示開始点変更手段は、前記点滅周期検出手段の検知結果を基に、前記光シャッターの開期間における通過光量の積分値が最大となるよう前記表示開始時点を変更する請求項２６に記載の制御システム。
【請求項３２】
透過型、半透過型、投射型または自発光型の表示パネルを備え、
前記画像表示開始点変更手段は、前記点滅周期検出手段の検知結果を基に、前記光シャッターの開期間における通過光量の積分値が最小となるよう前記表示開始時点を変更する請求項２６に記載の制御システム。
【請求項３３】
反射型または半透過型の表示パネルを備え、
前記点滅位相変更手段は、前記光シャッターの開期間における通過光量の積分値が最大となるよう前記点滅位相を変更する請求項２７に記載の制御システム。
【請求項３４】
透過型、半透過型、投射型または自発光型の表示パネルを備え、
前記点滅位相変更手段は、前記光シャッターの開期間における通過光量の積分値が最小となるよう前記点滅位相を変更する請求項２７に記載の制御システム。
【請求項３５】
前記点滅周期検出手段は、前記光シャッターの透過光の変動を検出する透過光検出手段を備え備え、前記間欠照明の明るさを検出する請求項３２〜３４のいずれか一項に記載の制御システム。
【請求項３６】
前記表示周期制御手段は、前記特定画像の表示周期を１／５０秒以下に制限する請求項２３に記載の制御システム。
【請求項３７】
周期的に点面する間欠照明下において、順次繰り返して表示される２種類以上の画像に含まれる特定画像の表示周期と前記間欠照明の点滅周期とを前者が後者の整数倍になるように制御することを特徴とする特定画像表示方法。
【請求項３８】
前記間欠照明の点滅周期を検出し、
検出された前記点滅周期に基づいて、前記特定画像の表示周期と前記間欠照明の点滅周期とを整数倍になるように制御することを特徴とする請求項３８に記載の特定画像表示方法。
【請求項３９】
前記間欠照明の点滅位相を検出し、
検出された前期点滅位相に基づいて、表示する画像の表示開始時点を変更することを特徴とする請求項３８に記載の特定画像表示方法。
【請求項４０】
表示される２種類以上の画像中の特定画像の表示に合わせて光シャッターを開閉制御するための動作制御用プログラムであって、
周期的に点滅する間欠照明下において、前記特定画像の表示周期と前記間欠照明の点滅周期とを前者が後者の整数倍に制御する機能をコンピュータに実行させることを特徴とする動作制御用プログラム。
【国際調査報告】
2008056753.tif 000028
2008056753.tif 000029
2008056753.tif 000030
2008056753.tif 000031